(57)【要約】  通信ネットワークにおける干渉を管理するためのシステム及び方法は、ビーム（６２）を使用して、第１の送信／受信ポイント（ＴＲＰ）（４６）から電子装置（１４）へと第１のダウンリンク信号（５０）を送信することを含む。電子装置（１４）はまた、第２のＴＲＰ（４８）から第２のダウンリンク信号（５２）を受信することができ、第１のＴＲＰ（４６）からの第１のダウンリンク信号（５０）の一部（５４）が第２のダウンリンク信号（５２）と干渉する。次に、第１のＴＲＰ（４６）は、電子装置（１４）から一連のアップリンクパイロット信号（６６、６８）を受信する。次に、受信したアップリンクパイロット信号（６６、６８）を使用して、第１のＴＲＰ（４６）は、目的の信号（第１のダウンリンク信号（５０））の出発角（ＡｏＤ）、及び干渉信号（５４）のＡｏＤを推定することができる。次に、第１のＴＲＰ（４６）は、意図した信号及び干渉信号の推定ＡｏＤに基づいて、第１のダウンリンク信号（５０）を送信するために使用されるビーム（６２）を再構成して、第１の漏れ信号（５４）が第２のダウンリンク信号（５２）に対して有する干渉効果を管理することができる。【選択図】図４
2022501957.tif 000002
【特許請求の範囲】
【請求項１】
無線通信ネットワークにおける干渉を管理する方法であって、当該方法は、前記無線通信ネットワークの第１の送受信ポイント（ＴＲＰ）（４６）によって実行され、且つ
送信ビーム（６２）を使用して電子装置（１４）に第１のダウンリンク信号（５０）を送信し（１００）、当該第１のダウンリンク信号（５０）は、前記第１のＴＲＰ（４６）に関して定義された第１のダウンリンク出発角（ＡｏＤ）を有することと、
前記電子装置（１４）から第１のアップリンクパイロット信号（６６）を受信（１０２）し、ここで前記第１のＴＲＰに関して定義された、前記第１のアップリンクパイロット信号（６６）の第１の到着角度（ＡｏＡ）は、前記第１のダウンリンクＡｏＤに関連付けられることと、
前記電子装置（１４）から第２のアップリンクパイロット信号（６８）を受信（１０４）し、当該第２のアップリンクパイロット信号（６８）は前記電子装置（１４）に関して定義されたアップリンクＡｏＤに関連付けられ、これは前記無線通信ネットワークの第２のＴＲＰ（４８）から前記電子装置（１４）において受信された第２のダウンリンク信号（５２）、及び前記送信ビーム（６２）から生じる第１の漏れ信号（５４）に対応することと、
前記受信された第１のアップリンクパイロット信号（６６）及び前記受信された第２のアップリンクパイロット信号（６８）に基づいて、前記第１の漏れ信号（５４）を変更するように前記送信ビーム（６２）を再構成することと、を含む方法。
【請求項２】
前記第１のアップリンクパイロット信号（６６）の受信に基づいて、前記第１のＡｏＡを推定することと、
前記第２のアップリンクパイロット信号（６８）の受信に基づいて、前記第２のＡｏＡを推定することを更に含み、
前記送信ビーム（６２）を再構成することは、前記推定された第１のＡｏＡ及び前記推定された第２のＡｏＡに基づいている、請求項１に記載の方法。
【請求項３】
前記第１のダウンリンク信号（５０）の一部が前記第２のダウンリンク信号（５２）と干渉しているとの表示を前記電子装置（１４）から受信することを更に含む、請求項１又は２に記載の方法。
【請求項４】
前記表示を受信することに応答して、前記電子装置（１４）からのアップリンクパイロット信号スキャンのためにリソースをスケジューリングすることを更に含み、当該リソースは少なくとも前記第１のアップリンクパイロット信号（６６）及び前記第２のアップリンクパイロット信号（６８）からなる、請求項３に記載の方法。
【請求項５】
前記リソースを前記第２のＴＲＰ（４８）へと通信することを更に含む、請求項４に記載の方法。
【請求項６】
前記送信ビーム（６２）は、前記第１の漏れ信号（５４）を防止又は低減することによって、前記第１の漏れ信号（５４）からの前記第２のダウンリンク信号（５２）の干渉を最小化するように再構成される、請求項１〜５のいずれかに記載の方法。
【請求項７】
前記第１のダウンリンク信号（５０）及び前記第２のダウンリンク信号（５２）が同一であり、前記送信ビーム（６２）は、前記電子装置における受信信号を増強するように再構成され、当該受信信号は前記第１の漏れ信号（５４）及び前記第２のダウンリンク信号（５２）の組み合わせである、請求項２〜５のいずれかに記載の方法。
【請求項８】
前記アップリンクＡｏＤに対応する少なくとも第３のアップリンクパイロット信号を受信することを更に含み、前記送信ビーム（６２）は、前記少なくとも第３のアップリンクパイロット信号の受信に基づいて更に再構成される、請求項１〜７のいずれかに記載の方法。
【請求項９】
無線通信ネットワークにおいて電子装置（１４）による干渉を管理する方法であって、
第１の送受信点（ＴＲＰ）（４６）からの第１のダウンリンク信号（５０）を、第１の到達角（ＡｏＡ）で受信すること（２００）と、
第２のＴＲＰ（４８）からの第２のダウンリンク信号（５２）を、第２のＡｏＡで受信すること（２０２）と、
前記第１のダウンリンク信号（５０）の一部（５４）が前記第２のＡｏＡで前記第２のダウンリンク信号（５２）に干渉していることを決定することによって、干渉状態を決定すること（２０４）と、
前記干渉状態の決定に応答して、一連のアップリンクパイロット信号（６６、６８）を前記第１のＴＲＰ（４６）へと送信し、前記第１のＴＲＰ（４６）が前記第２のＡｏＡに関連付けられたダウンリンク出発角（ＡｏＤ）を決定できるようにすること（２０６）と、を含み、ここで前記一連のアップリンクパイロット信号（６６、６８）を送信することは、
前記第１のアップリンクパイロット信号（６６）を、前記第１のＡｏＡに対応する第１のアップリンクＡｏＤで前記第１のＴＲＰ（４６）へと送信することと、
前記第２のアップリンクパイロット信号（６８）を、前記第２のＡｏＡに対応する第２のアップリンクＡｏＤで前記第１のＴＲＰへと送信することと、を含む方法。
【請求項１０】
前記干渉状態の表示を、前記第１のＴＲＰ（４６）又は前記第２のＴＲＰ（４８）の少なくとも一方へと送信する、請求項９に記載の方法。
【請求項１１】
前記第１のＴＲＰ（４６）のＩＤを前記第２のＴＲＰ（４８）へと送信することと、
前記第２のＴＲＰ（４８）のＩＤを前記第１のＴＲＰ（４６）へと送信することを更に含む、請求項９又は１０に記載の方法。
【請求項１２】
前記一連のアップリンクパイロット信号（６６、６８）を送信することは、
前記第１のアップリンクＡｏＤ又は前記第２のアップリンクＡｏＤのうちの一方において、少なくとも第３のアップリンクパイロット信号を前記第１のＴＲＰへと送信することを更に含む、請求項９〜１１のいずれかに記載の方法。
【請求項１３】
請求項１〜８のいずれかに記載の方法を実行するように構成された、ネットワークインターフェース（５２）及び制御回路（４４）を備えたネットワーク要素（１２、４６、４８）。
【請求項１４】
請求項９〜１２のいずれかの方法を実行するように構成された無線インターフェース（１８）及び制御回路（３２）を備えた電子装置（１４）。
【請求項１５】
請求項１３のネットワーク要素（１２、４６、４８）及び請求項１４に記載の電子装置（１４）を備えたシステム。
【発明の詳細な説明】
【技術分野】
【０００１】
〔関連出願データ〕
この出願は、２０１８年９月２８日に出願されたスウェーデン特許出願第１８３０２７３−７号の利益を主張するものであり、その開示の全体を参照により本明細書の一部として援用する。
【０００２】
〔発明の技術分野〕
本開示の技術は、概して、ネットワーク環境における電子装置間の無線通信に関し、より具体的には、電子装置と通信する複数の送信／受信ポイントを有するシステムにおける干渉を管理するための方法及び装置に関する。
【背景技術】
【０００３】
無線通信システムにおけるデータ通信料の需要は増え続けている。ロングタームエボリューション（Long  Term  Evolution：ＬＴＥ）システムや、第３世代パートナーシッププロジェクト（3rd  Generation  Partnership  Project：３ＧＰＰ）によって標準化されたＬＴＥ−アドバンスト（LTE-Advanced：ＬＴＥ−Ａ）システムのような第４世代（Fourth  Generation：４Ｇ）無線システムが広く商品化されて以来、次世代無線システムが発展して来ている。３ＧＰＰによるそのようなシステムの１つは、第５世代（Fifth  Generation：５Ｇ）又は新ラジオ波（New  Radio：ＮＲ）無線システムである。
【０００４】
より高いデータ転送速度についての需要を満たすために、無線システムは、現在認可されていないスペクトル帯域の使用を想定している。高周波帯域（ミリ波など）は高いデータ転送速度を提供できるが、信号が伝播するにつれて、信号電力は低帯域システムと比較してより速く低下する可能性がある。より広いサービスエリアを提供するために、基地局側とユーザ機器（User  Equipment：ＵＥ）側の両方でビームフォーミング技術を利用することができる。
【０００５】
無線伝搬において、特に屋内では反射が存在する。ＵＥから２つの送信／受信ポイントまで（Transmit/Receive  Point：ＴＲＰ）の物理的な方向が大きく異なる場合であっても、反射は、ＵＥにおいてＴＲＰ信号間のリークを導く可能性があり、このような漏れは干渉としての役割を果たす。高い信号対雑音比において、システムはノイズ制限がされることはないが、干渉制限がされる。ときには、信号が相互に干渉し合うことがあり得る。第１のＴＲＰに向かうＵＥのビームフォーミング方向において、第２のＴＲＰからの送信の一部が漏れ聞こえてしまうことがあり得る。
【０００６】
上記を考慮して、干渉を低減又は管理するために、ビーム間でのそのような干渉を管理できる方法及びシステムが当技術において必要とされている。
【発明の概要】
【課題を解決するための手段】
【０００７】
この開示されるアプローチは、通信ネットワークにおける干渉を管理する方法を提供する。当該方法は、第１の出発角（Angle  Of  Departure：ＡｏＤ）を有するビームを使用して、第１のＴＲＰから電子装置へと第１のダウンリンク信号を送信することを含む。次に、前記第１のＴＲＰは、電子装置から第１のアップリンクパイロット信号を受信し、この第１のアップリンクパイロット信号は、第１のＴＲＰにおいて前記第１のＡｏＤに対応する到着角（Angle  Of  Arrival：ＡｏＡ）で受信される。次に、前記第１のＴＲＰは、電子装置から第２のアップリンクパイロット信号を受信し、この第２のアップリンクパイロット信号は、電子装置に関して定義されたアップリンクＡｏＤに関連付けられ、これは第２のＴＲＰから電子装置において受信される第２のダウンリンク信号に対応する。次に、第１のＴＲＰは、この第１及び第２のアップリンクパイロット信号を受信することから、意図された信号（第１のダウンリンク信号）についてのＡｏＤ、及び干渉信号についてのＡｏＤを推定することができる。次に、前記第１のＴＲＰは、前記推定された第１の出発角度及び推定された第２の出発角度に基づいて、第１のダウンリンク信号を送信するために使用されるビームを再構成し、第１のダウンリンク信号が第２のダウンリンク信号に及ぼす干渉効果を管理することができる。
【０００８】
本開示の一態様によれば、無線通信ネットワークにおける干渉を管理する方法は、前記無線通信ネットワークの第１の送受信ポイント（ＴＲＰ）によって実行され、且つ、送信ビームを使用して電子装置に第１のダウンリンク信号を送信し、この第１のダウンリンク信号は、前記第１のＴＲＰに関して定義された第１のダウンリンク出発角（ＡｏＤ）を有することと、前記電子装置から第１のアップリンクパイロット信号を受信し、ここで前記第１のＴＲＰに関して定義された第１のアップリンクパイロット信号の第１の到着角度（ＡｏＡ）は、前記第１のダウンリンクＡｏＤに関連付けられることと、前記電子装置から第２のアップリンクパイロット信号を受信し、当該第２のアップリンクパイロット信号は前記電子装置に関して定義されたアップリンクＡｏＤに関連付けられ、これは前記無線通信ネットワークの第２のＴＲＰから前記電子装置において受信された第２のダウンリンク信号及び前記送信ビームから生じる第１の漏れ信号に対応することと、前記受信された第１のアップリンクパイロット信号及び前記受信された第２のアップリンクパイロット信号に基づいて、前記第１の漏れ信号を変更するように前記送信ビームを再構成することを含む。
【０００９】
この方法の１実施形態によれば、当該方法は、前記第１のアップリンクパイロット信号の受信に基づいて前記第１のＡｏＡを推定することと、前記第２のアップリンクパイロット信号の受信に基づいて前記第２のＡｏＡを推定することと、前記推定された第１のＡｏＡ及び前記推定された第２のＡｏＡに基づいて、前記第１のダウンリンク信号を送信するために使用される前記送信ビームを再構成することとを更に含む。
【００１０】
この方法の１実施形態によれば、当該方法は、前記第１のダウンリンク信号の一部が前記第２のダウンリンク信号に干渉しているとの表示を前記電子装置から受信することを更に含む。
【００１１】
この方法の１実施形態によれば、当該方法は、前記表示を受信したことに応答して、前記電子装置からのアップリンクパイロット信号スキャンのためにリソースをスケジューリングすることを更に含む。前記リソースは、少なくとも前記第１のアップリンクパイロット信号及び前記第２のアップリンクパイロット信号からなる。
【００１２】
この方法の１実施形態によれば、当該方法は、前記リソースを前記第２のＴＲＰへと通信することを更に含む。
【００１３】
この方法の１実施形態によれば、前記ビームは、前記第１のダウンリンク信号の一部からの前記第２のダウンリンク信号への干渉を最小限に抑えるように再構成される。
【００１４】
この方法の１実施形態によれば、前記第１のダウンリンク信号及び前記第２のダウンリンク信号は同一であり、前記ビームは、前記電子装置での受信信号を増強するように再構成される。前記受信信号は、前記第１のダウンリンク信号の一部と前記第２のダウンリンク信号との組み合わせである。
【００１５】
この方法の１実施形態によれば、当該方法は、前記アップリンクＡｏＤに対応する少なくとも第３のアップリンクパイロット信号を受信することを更に含む。前記送信ビームは、少なくとも前記第３のアップリンクパイロット信号の受信に基づいて更に再構成される。
【００１６】
本開示の一態様によれば、無線通信ネットワークにおいて、電子装置によって干渉を管理する方法は、第１の送受信ポイント（ＴＲＰ）から第１の到着角（ＡｏＡ）で第１のダウンリンク信号を受信することと、第２のＴＲＰから第２のＡｏＡで第２のダウンリンク信号を受信することと、前記第１のダウンリンク信号の一部が前記第２のＡｏＡで前記第２のダウンリンク信号に干渉していることを決定することによって干渉状態を決定することと、前記干渉状態の決定に応答して、一連のアップリンクパイロット信号を前記第１のＴＲＰへと送信し、前記第１のＴＲＰが前記第２のＡｏＡに関連付けられたダウンリンク出発角（ＡｏＤ）を決定できるようにすることを含む。
【００１７】
この方法の１実施形態によれば、当該方法は、前記干渉状態の表示を前記第１のＴＲＰ又は前記第２のＴＲＰのうちの少なくとも一方へと送信することを更に含む。
【００１８】
この方法の１実施形態によれば、当該方法は、前記第１のＴＲＰのアイデンティティ（ＩＤ）を前記第２のＴＲＰへ送信することと、前記第２のＴＲＰのＩＤを前記第１のＴＲＰへ送信することを更に含む。
【００１９】
この方法の１実施形態によれば、前記一連のアップリンクパイロット信号を送信することは、前記第１のＡｏＡに対応する第１のアップリンクＡｏＤで、第１のアップリンクパイロット信号を前記第１のＴＲＰへと送信することと、第２のアップリンクパイロット信号を、前記第２のＡｏＡに対応する第２のアップリンクＡｏＤで前記第１のＴＲＰへと送信することを含む。
【００２０】
この方法の１実施形態によれば、前記一連のアップリンクパイロット信号を送信することは、前記第１のアップリンクＡｏＤ又は前記第２のアップリンクＡｏＤの一方で、少なくとも第３のアップリンクパイロット信号を前記第１のＴＲＰへと送信することを更に含む。
【図面の簡単な説明】
【００２１】
【図１】図１は、マルチＴＲＰ無線ラジオ波通信のために、干渉管理を利用するネットワークシステムの概略ブロック図である。
【図２】図２は、図１のネットワークシステムの一部を形成する通信装置の概略ブロック図である。
【図３】図３は、一態様に従う図１のネットワークシステムの概略図である。
【図４】図４は、電子装置とのマルチＴＲＰ通信の概略図である。
【図５】図５は、電子装置と通信するＴＲＰの例示的実施形態の概略図である。
【図６】図６は、電子装置と通信するＴＲＰの例示的実施形態の概略図である。
【図７】図７は、例示的なリソースブロックである。
【図８】図８は、電子装置と通信するＴＲＰの例示的実施形態の概略図である。
【図９】図９は、例示的な方法を記載するフローチャートである。
【図１０】図１０は、例示的な方法を記載するフローチャートである。
【発明を実施するための形態】
【００２２】
〔序論〕
次に、図面を参照して実施形態を説明するが、ここで同様の参照番号は、全体を通して同様の要素を指すために使用される。図は必ずしも一定の縮尺であるとは限らないことが理解されるであろう。１実施形態に関して説明及び／又は図示される特徴は、１つ又は複数の他の実施形態において同じ方法又は同様の方法で、及び／又は他の実施形態の特徴と組み合わせて、又はその代わりに使用することができる。
【００２３】
以下に、添付の図面と共に記載されるものは、無線ネットワーク内の単一の電子装置へと送信される２つの信号間の干渉を管理するためのシステム及び方法の様々な実施形態である。干渉管理手順は、２つの信号間の干渉を検出し、当該干渉管理方法をトリガーし、干渉の影響を低減するか、又は干渉からの利益を増大するために、自動化された方法で、それぞれの装置によって実行され得る。
【００２４】
〔システムアーキテクチャー〕
図１は、開示される技術を実施するための例示的ネットワークシステム１０を示す概略図である。図示されたシステムは代表的なものであり、他のシステムを使用して、この開示された技術を実施できることが理解されるであろう。例示的ネットワークシステム１０は基地局１２を含み、これは３ＧＰＰ又は別の規格により公表されたプロトコル等のセルラープロトコルに従って動作する。例えば、ネットワークシステム１０は、ＬＴＥ、ＬＴＥ−Ａ、又は５Ｇ―ＮＲ規格に従って動作することができる。しかしながら、本明細書に記載の技術は、それぞれの装置間でビームフォーミング技術又は複数のビームを利用する実質的に任意の無線通信システムに適用できることが理解されるべきである。
【００２５】
図示した実施例のネットワークシステム１０は、セルラータイプのプロトコルをサポートし、これは、回線交換ネットワーク技術及び／又はパケット交換ネットワーク技術を含み得る。ネットワークシステム１０は基地局１２を含み、これは図１において電子装置１４ａ〜１４ｎとして指定される１つ又は複数の電子装置１４に対してサービスを提供する。基地局１２は、電子装置１４とネットワーク媒体１６の間の通信をサポートすることができ、当該ネットワーク媒体１６を介して、電子装置１４は他の電子装置１４、サーバー、インターネット上の装置等と通信することができる。基地局１２は、アクセスポイント、４Ｇネットワークにおける発展型ＮｏｄｅＢ（Evolved  NodeB：ｅＮＢ）、又は５ＧもしくはＮＲネットワークにおける次世代ＮｏｄｅＢ（Next  Generation  NodeB：ｇＮＢ）、ならびに第２の端末（例えば装置対装置の通信）であり得る。本明細書で用いられる場合、「基地局」の用語は、一般に、ユーザ装置にサービスを提供し、ユーザ装置とネットワーク媒体又は第２の装置との間の通信を可能にする任意の装置を指し、したがって、ネットワーク実装に応じて上記の特定の例が含まれる。本明細書に開示される実施形態に関して「基地局」の用語が使用されるが、電子装置は、開示される実施形態に従って任意のタイプのネットワークノードと通信でき、これには第２の電子装置又は異なるタイプのネットワーク要素が含まれるが、これらに限定されない。
【００２６】
１実施形態において、ネットワークシステム１０は、基地局１２と電子装置１４との間のビームフォーミング動作をサポートしており、基地局１２が１つ又は複数のビーム（例えば、ビームフォーミング技術で生成されたもの）を使用して送信でき、また電子装置１４が、単一の基地局１２又は複数の基地局の何れかからの１つ又は複数の受信ビームを使用して受信できるようになっている。基地局１２は、利用可能な送信ビームを使用して一定のメッセージを再送信することができ、これはビーム掃引と称される。特に、そのようなビーム掃引は、基地局１２が各電子装置１４に対して特定の既知のビームを確立する前に、電子装置１４へと情報を通信するときに発生し得る。例えば、ビーム掃引は、現在のチャネル状態を動的に決定するために使用され得る。
【００２７】
基地局１２は、無線通信を実行するための動作コンポーネント、本明細書に記載の干渉管理機能、及び基地局１２の他の機能を含み得る。例えば、基地局１２は、基地局１２の全体的な動作を担当する制御回路１８を含むことができ、これには、以下で更に詳細に説明する操作を実行するために基地局１２を制御することが含まれる。制御回路１８は、オペレーティングシステム及び／又は他のアプリケーションのような、コード２２を実行するプロセッサ２０を含む。この開示文書に記載されている機能は、コード２２の一部として、又は基地局１２の他の専用論理演算の一部として具体化され得る。基地局１２の論理機能及び／又はハードウェアは、基地局１２の性質及び構成に応じて、他の方法で実装されてもよい。したがって、図示及び記述されたアプローチは単なる例であり、ハードウェア（例えば、マイクロプロセッサ、マイクロコントローラ、中央処理装置（Central  Processing  Unit：ＣＰＵ）等）、又はハードウェア及びソフトウェアの組み合わせ（例えば、システムオンチップ（System-On-Chip：ＳｏＣ）、特定用途向け集積回路（Application-Specific  Integrated  Circuit：ＡＳＩＣ）等）として、又はこれらを含んで実装された制御回路１８を含むが、これに限定されない他のアプローチが使用されてもよい。
【００２８】
コード２２及び任意の記憶されたデータ（例えば、基地局１２の動作に関連付けられたデータ）は、メモリ２４に格納することができる。コードは、実行可能な論理ルーチン（例えば、ソフトウェアプログラム）の形態で具体化でき、これはコンピュータプログラム製品として、基地局１２の非一時的コンピュータ可読媒体（例えば、メモリ２４）に格納され、プロセッサ２０によって実行される。基地局１２によって実行されると記述される機能は、基地局１２によって実行される方法と考えられる。
【００２９】
メモリ２４は、例えば、バッファ、フラッシュメモリ、ハードドライブ、リムーバブルメディア、揮発性メモリ、不揮発性メモリ、ランダムアクセスメモリ（Random  Access  Memory：ＲＡＭ）、又は他の適切な装置のうちの１つ又は複数であり得る。典型的な構成において、メモリ２４は、長期のデータ記憶のための不揮発性メモリと、制御回路１８のためのシステムメモリとして機能する揮発性メモリとを含む。メモリ２４は、非一時的コンピュータ可読媒体と看做される。
【００３０】
基地局１２は通信回路を含み、これは基地局１２が様々な通信接続を確立することを可能にする。例えば、基地局１２は、ネットワーク媒体１６と通信するためのネットワーク通信インターフェース２６を有することができる。また、基地局１２は無線インターフェース２８を有することができ、当該インターフェースを介して電子装置１４との無線通信（ここに記載のマルチビーム動作及び手順を含む）が行われる。無線インターフェース２８は、１つ又は複数のラジオ波周波数トランシーバ（モデムとも呼ばれる）、１つ又は複数のアンテナアセンブリ、及び任意の適切なチューナ、インピーダンス整合回路、及び様々なサポートされる周波数帯域及びラジオ波アクセス技術に必要な他の任意の構成要素を有する無線回路を含み得る。
【００３１】
基地局１２によりサービスを受ける電子装置１４は、ユーザ装置（ユーザ機器又はＵＥとしても知られる）又はマシンタイプの装置であり得る。例示的な電子装置１４には、限定されるものではないが、移動ラジオ波電話（「スマートフォン」）、タブレットコンピューティング装置、コンピュータ、マシンタイプの通信を使用する装置、マシン対マシン（Machine-To-Machine：Ｍ２Ｍ）通信、又は装置対装置（Device-To-Device：Ｄ２Ｄ）通信（例えば、センサ、マシンコントローラ、アプライアンスなど）、基地局１２と無線通信を行うカメラ、メディアプレーヤー、又は他の任意の装置が含まれる。
【００３２】
図２に示すように、各電子装置１４は、無線通信、本明細書に記載の干渉管理機能、及び電子装置１４の他の機能を実行するための動作コンポーネントを含み得る。例えば、他のコンポーネントの中でも、各電子装置１４は、電子装置１４の全体的な動作（以下でより詳細に説明する動作を実行するように電子装置１４を制御することを含む）を担当する制御回路３０を含み得る。制御回路３０は、オペレーティングシステム及び／又は他のアプリケーション等のコード３４を実行するプロセッサ３２を含む。この開示文書に記載されている機能は、コード３４の一部として、又は電子装置１４の他の専用論理演算の一部として具体化することができる。電子装置１４の論理機能及び／又はハードウェアは、電子装置１４の性質及び構成に応じて他の方法で実装することができる。したがって、図示及び記述されたアプローチは単なる例であり、ハードウェア（例えば、マイクロプロセッサ、マイクロコントローラ、中央処理装置（ＣＰＵ）等）、又はハードウェアとソフトウェアの組み合わせ（例えば、システムオンチップ（ＳｏＣ）、特定用途向け集積回路（ＡＳＩＣ）など）として実装された制御回路１８を含むが、これに限定されない他のアプローチが使用されてもよい。
【００３３】
コード３４及び任意の記憶されたデータ（例えば、電子装置１４の動作に関連するデータ）は、メモリ３６に格納することができる。コード３４は、実行可能な論理ルーチン（例えば、ソフトウェアプログラム）の形態で具体化することができ、当該論理ルーチンは、電子装置１４の非一時的コンピュータ可読媒体（例えば、メモリ３６）にコンピュータプログラム製品として格納され、プロセッサ３２によって実行される。電子装置１４により実行されるものとして記載される機能は、電子装置１４によって実行される方法と考えられる。
【００３４】
メモリ３６は、例えば、バッファ、フラッシュメモリ、ハードドライブ、リムーバブルメディア、揮発性メモリ、不揮発性メモリ、ランダムアクセスメモリ（ＲＡＭ）、又は他の適切な装置のうちの１つ又は複数であり得る。典型的な構成において、メモリ３６には、長期データ記憶のための不揮発性メモリと、制御回路３０のためのシステムメモリとして機能する揮発性メモリとが含まれる。メモリ３６は、非一時的コンピュータ可読媒体と看做される。
【００３５】
電子装置１４は、電子装置１４が様々な通信接続を確立することを可能にする通信回路を含む。例えば、電子装置１４は、基地局１２との無線通信を行う無線インターフェース３８を有することができ、これには本明細書に記載のビームフォーミング操作及び手順が含まれる。無線インターフェース３８は、１つ又は複数のラジオ波周波数トランシーバ（モデムとも呼ばれる）、少なくとも１つのアンテナアセンブリ、及び任意の適切なチューナ、インピーダンス整合回路、及びサポートされる様々な周波数帯域及びラジオ波アクセス技術に必要な他の任意の構成要素を有する無線回路を含み得る。
【００３６】
電子装置１４の他の構成要素には、ユーザ入力（例えば、ボタン、キーパッド、タッチ面など）、ディスプレイ、マイクロフォン、スピーカー、カメラ、センサ、ジャック、もしくは電気コネクタ、充電式電池及び電源ユニット、ＳＩＭカード、モーションセンサ（例えば、加速度計又はジャイロなど）、ＧＰＳレシーバー、その他の適切なコンポーネントが含まれ得るが、これらに限定されない。
【００３７】
〔マルチＴＲＰシステムにおいて干渉を管理するための手順〕
図３を参照すると、ネットワークシステム１０は、ビームフォーミング技術をサポートすることができる。基地局１２は、個々のアンテナ素子４２を含む大きなアンテナアレイ４０を含み得る。一態様において、各アンテナ素子４２は、基地局１２のそれぞれのラジオ波鎖に結合され得る。基地局１２は、アンテナアレイ４０と共にビーム形成技術を使用して、電子装置１４に向けられた１つ又は複数のビーム４４を生成及び送信することができる。
【００３８】
次に図４を参照すると、第１の送信／受信ポイント（ＴＲＰ）４６及び第２のＴＲＰ４８は、両方とも電子装置１４と通信することができる。送信／受信ポイント（ＴＲＰ）は、接続されたアンテナアレイ４０などのネットワーク要素であることが可能であり、これは基地局１２に取り付けられているか、又は基地局１２とは分離されているが基地局１２と通信しているか、そうでなくともネットワークと通信している。第１のＴＲＰ４６は、第１のダウンリンク信号５０を介して電子装置１４と通信し、第２のＴＲＰ４８は、第２のダウンリンク信号５２を介して電子装置１４と通信する。地形、建物、樹木、内壁などの環境物体によって引き起こされる信号反射のために、ＴＲＰ４６、４８によって送信されるダウンリンク信号は漏れ信号に分割される可能性がある。例えば、第１のダウンリンク信号５０は、第１の漏れ信号５４を有することが可能であり、第２のダウンリンク信号５２は、第２の漏れ信号５６を有することが可能である。一定の状況において、第１の漏れ信号５４は、第２のダウンリンク信号５２を受信することを意図した第２の受信ビーム６０の中に漏出することによって、第２のダウンリンク信号５２に干渉することができる。同様に、第２の漏れ信号５６は、第１のダウンリンク信号５２を受信することを意図した第１の受信ビーム５８の中に漏出することによって、第１のダウンリンク信号５０に干渉することができる。漏れ信号５４、５６は、別々に生成された信号ではなく、それぞれのダウンリンク信号で構成されていることを理解されたい。例えば、第１の漏れ信号５４は、漏れ経路に沿って移動する第１のダウンリンク信号５０の一部であり、第２の漏れ信号５６は、漏れ経路に沿って移動する第２のダウンリンク信号５２の一部である。
【００３９】
図５に示す場合、第１のＴＲＰ４６が、第１のダウンリンク信号５０を送信するビーム６２を再設計して、ビーム６２が、第２のＴＲＰ４８を意図した電子装置１４の第２の受信ビーム６０へと漏れる方向にはより少ない信号を放射するようにできれば、電子装置１４にとって有益であろう。図５は、第１のＴＲＰ４６のみを示しているが、この開示された方法は、第２のＴＲＰ４８、又は電子装置１４と通信する任意の追加のＴＲＰに関しても実行できることが理解されるべきである。ビームを再構成するためには、第１のＴＲＰ４６が、第１のダウンリンク信号の意図された方向での出発角（ＡｏＤ）についての知識、及び第２のダウンリンク信号５４を受信することを意図した電子装置１４の第２の受信ビーム６０の到着角（ＡｏＡ）に対応した干渉方向についての知識を有する必要がある。第１のＴＲＰ４６が、第１のダウンリンク信号の意図された方向及び干渉方向のＡｏＤに関する知識を取得したときに、第１のＴＲＰ４６は、ビーム６２がより少ない信号を電子装置１４の第２の受信ビーム６０へと漏れる方向に放射するように、第１のダウンリンク信号５０を送信するために使用されるビーム６２を再構成することができる。この再構成されたビーム６２は、図６に示すように、第１の漏れ信号５４の振幅を減少させるであろう。
【００４０】
ＴＲＰ４６、４８は、電子装置１４との通信に使用されるチャネルが方向において交互であるという条件で、アップリンクにおいて必要なＡｏＤ情報を取得することができ、更に、ＴＲＰ４６、４８は、異なるビームにおいてＡｏＤを推定する基礎を形成するアップリンク信号を受信することができる。アップリンクにおいて、サウンディングリファレンスシンボル（Sounding  Reference  Symbol：ＳＲＳ）は、意図した方向にある電子装置１４へのチャネルを推定するためにＴＲＰが使用しなければならないので、システムにとって極めて重要なものとなっている。ＳＲＳのアップリンク送信中にＴＲＰ４６、４８が別のビームに切り替わると、干渉方向は推定できるが、データの送受信に使用される実際のビームのチャネルを推定することはできない。この問題を克服するために、電子装置１４は、様々なアップリンクＡｏＤで必要なビーム掃引を実行できるので、対応するＴＲＰ４６、４８は、ＳＲＳのアップリンク送信中に別のビームに切り替える必要がない。
【００４１】
干渉方向を推定するためにＴＲＰ４６、４８が必要とする情報を伝達する１つの方法は、ＴＲＰ４６、４８が、ＡｏＤを推定できるようにする目的でのみ、追加のＳＲＳシンボルを導入することである。電子装置１４からのアップリンクパイロット信号掃引に使用される例示的なリソースブロック６４が図７に示されている。リソースブロック６４は、横軸に時間領域を含み、縦軸に周波数領域を含む。ＳＲＳは時間領域に含まれるが、リソースブロック６４の他の実施形態は、周波数領域にＳＲＳを含み得ることを理解されたい。ＳＲＳ１及びＳＲＳ２は、第１の受信ビーム５８に対応したＡｏＤを有するアップリンクパイロット信号と、第２の受信ビーム６０に対応したＡｏＤを有するアップリンクパイロット信号に対応する。
【００４２】
ＴＲＰ４６、４８でのチャネル推定手順において、ＴＲＰは一度には単一のＡｏＡだけを推定できるに過ぎない。したがって、ＴＲＰ４６、４８は、電子装置１４からの所望の信号方向及び漏れ信号方向を同時に推定することはできない。これに対処するために、ＳＲＳＡｏＤ，１、ＳＲＳＡｏＤ，２、及びＳＲＳＡｏＤ，ｋに示されるように、追加のＳＲＳがリソースブロック６４に含まれ得る。当該追加のＳＲＳは、ＴＲＰ４６、４８がＴＲＰ４６、４８においてＡｏＡを推定できるようにし、またＴＲＰ４６、４８が２方向のチャネルを推定できるようにするために含まれている。リソースブロック６４内に追加されたＳＲＳ信号の正確な位置は重要ではなく、またそれらの数は調整可能であることを理解されたい。追加のＳＲＳ信号は、電子装置１４が２つの受信ビーム５８、６０（ＴＲＰ４６、４８にそれぞれ１つ）を有する状況では対をなして出現するが、ＴＲＰがＡｏＤの高精度推定を行うことを可能にするために、ＴＲＰが多くの（Ｋの）ビームを掃引するのが有益であり得る。理論的には、Ｋ値は１まで小さくできるが、数値が大きいほどＡｏＤの推定は良好になる。
【００４３】
一例において、電子装置１４は、第１のアップリンクパイロット信号６６を、電子装置１４に関して定義された第１のアップリンクＡｏＤで、第１のダウンリンク信号５０（所望の信号）の方向へと送信することができる。第１のアップリンクＡｏＤは、（電子装置１４に関して定義された）第１のダウンリンク信号５０の第１のＡｏＡに対応することができ、第１のアップリンクＡｏＤがダウンリンク信号５０の第１のＡｏＡに等しくなるようになっている。第１のＴＲＰ４６は、第１のアップリンクパイロット信号６６を受信し、これを使用して、第１のダウンリンク信号５０のチャネル状態を推定することができる。電子装置１４はまた、第２のＴＲＰ４８からの第２のダウンリンク信号５２の方向と一致する第１の漏れ信号５４（干渉信号）の方向に、電子装置１４に関して定義された第２のＡｏＤで、第２のアップリンクパイロット信号６８を送信することができる。第２のアップリンクＡｏＤは、（電子装置１４に関して定義された）第２のダウンリンク信号５２の第２のＡｏＡに対応することができ、第２のアップリンクＡｏＤが第２のダウンリンク信号５２の第２のＡｏＡに等しくなるようになっている。第１のＴＲＰ４６は、第２のアップリンクパイロット信号６８を受信する。受信した第２のアップリンクパイロット信号６８を使用して、第１のＴＲＰ４６は、第１のダウンリンク信号５０を送信するために使用されるビーム６２もまた、漏れ信号５４を介して第２のダウンリンク信号５２との干渉を引き起こしていると決定することができる。次いで、第１のＴＲＰ４６はそのビーム６２を再構成して、第１の漏れ信号５４を防止又は低減し、次に、第２のダウンリンク信号５２の干渉を低減する。
【００４４】
追加のアップリンクパイロット信号を、第１のダウンリンク信号５０の方向及び／又は第２のダウンリンク信号５２の方向で第１のＴＲＰ４６へと送信して、ダウンリンク信号が別のチャネルに対して干渉を引き起こす信号チャネル方向を、第１のＴＲＰ４６がよりよく検出又は発見できるようにすることができる。例えば、一定の実施形態において、電子装置１４はまた、電子装置１４に関して定義された第２のＡｏＤで、第２のＴＲＰ４８からの第２のダウンリンク信号５２の方向とも一致する第１の漏れ信号５４（干渉信号）の方向に、第３のアップリンクパイロット信号６８を送信することができる。上記のように、第２のアップリンクＡｏＤは、第２のアップリンクＡｏＤが第２のダウンリンク信号５２の第２のＡｏＡに等しくなるように、第２のダウンリンク信号５２（電子装置１４に関して定義される）の第２のＡｏＡに対応することができる。次に、第１のＴＲＰ４６は、第３のアップリンクパイロット信号の受信に基づいて、そのビーム６２を更に再構成することができる。
【００４５】
ＳＲＳ信号の構成は柔軟であることができる。例えば、１つのＴＲＰのみが干渉を引き起こす場合、又は干渉レベルが重要でないときにシステムが単にオーバーヘッドコストを削減することを決定する場合のような、一定の状況においては追加のＳＲＳが常にペアで出現しなくともよい。
【００４６】
一定の実施形態において、電子装置１４は、干渉状況を評価して、上記の干渉管理手順を実行するように要求することができる。電子装置１４は、例えば、低い信号対推論比（Signal  To  Inference  Ratio：ＳＩＮＲ）値を観察するか、又は所望の信号５０、５２及び干渉信号５４、５６の両方のチャネルゲインを取得し、それらに応じてその動作を基礎づけることができる。ＴＲＰ４６、４８への報告は、干渉状態の表示、干渉管理手順を実行するための要求、又はＳＩＮＲ値のようなより詳細な情報であり得る。電子装置１４はまた、第１のＴＲＰ４６のＩＤを第２のＴＲＰ４８へと送信することができ、及び／又は第２のＴＲＰ４８のＩＤを第１のＴＲＰ４６へと送信することができる。これにより、ＴＲＰ４６、４８が共通のスケジューリングを議論することが可能になり、例えば第２のＴＲＰ４８が、第１のＴＲＰ４６を目的とし且つそれによってスケジューリングされるアップリンクパイロットリソースにアクセスできる。第１のＴＲＰ４６が、このスケジュールされたリソースを第２のＴＲＰ４８に通信した後、当該第２のＴＲＰは、スケジュールされたリソースを再利用することができ、或いは、それは少なくとも、第１のＴＲＰ４６を意図したその方向にあるリソースを認識して、第１のＴＲＰ４６が干渉もしくは漏れ経路の決定を可能にすることができる。
【００４７】
同様に、この手順は、ＴＲＰ４６、４８の一方によって開始されることもできる。例えば、ＴＲＰ４６、４８は、リンク品質が期待されるほど良くないという観察に基づいて、干渉管理手順を開始する決定を下すことができる。そのような開始によりＴＲＰ間通信を開始して、干渉管理手順の開始を一方のＴＲＰから他方に通信することができるが、一方のＴＲＰがこの手順を要求することを含んでもよく、次いで、電子装置１４は他方のＴＲＰに対して、それが行われることを通知することができる。
【００４８】
ここで図８を参照すると、両方のＴＲＰ４６、４８が同じデータ信号を電子装置１４へと送信している状況において、電子装置１４は、第１のチャネル（例えば、第１のＴＲＰ４６へ／から）及び第２のチャネル（例えば、第２のＴＲＰ４８へ／から）の相対的な位相差について、ＴＲＰ４６、４８に通知することができる。そうすることによって、ＴＲＰ４６、４８は、信号５０、５２を送信するビーム６２を調整して、漏れ信号及びダウンリンク信号が電子装置１４において建設的に合算されるようにすることができる。或いは、電子装置１４（又はＴＲＰ４６、４８）は、干渉管理手順の実行を要求することができ、それによって、ＴＲＰ４６、４８は、図８に示されるように、所望の方向及び干渉方向の両方向でビーム形成することができる。
【００４９】
ここで図９を参照すると、ネットワーク要素によって、無線通信ネットワークでの干渉を管理する方法が記載されている。第１のＴＲＰ４６により実行されると記載された方法又は機能は、それぞれ単独で又は同時に、第２のＴＲＰ４８によっても実行され得ることが理解されるべきである。参照番号１００では、ネットワーク要素（例えば、第１のＴＲＰ４６）が、送信ビーム６２を使用して第１のダウンリンク信号５０を電子装置１４へと送信する。第１のダウンリンク信号５０は、第１の送受信ポイント（ＴＲＰ）４６に関して定義された第１のダウンリンク出発角を有する。参照番号１０２において、ネットワーク要素は、電子装置１４から第１のアップリンクパイロット信号６６を受信する。第１のアップリンクパイロット信号６６は、第１のＴＲＰ４６に関して定義され、且つ第１のダウンリンクＡｏＤに関連付けられた第１の到着角度（ＡｏＡ）で、第１のＴＲＰ４６において受信される。参照番号１０４において、ネットワーク要素は、電子装置１４から第２のアップリンクパイロット信号６８を受信する。第２のアップリンクパイロット信号６８は、電子装置１４に関して定義されたアップリンクＡｏＤに関連付けられ、且つ電子装置１４において無線通信ネットワークの第２のＴＲＰ４８から受信された第２のダウンリンク信号に対応する。
【００５０】
ここで図１０を参照すると、無線通信ネットワークにおいて、電子装置１４によって干渉を管理する方法が記載されている。第１のＴＲＰ４６により実行されると記載された方法又は機能は、それぞれ単独で又は同時に、第２のＴＲＰ４８によっても実行され得ることが理解されるべきである。参照番号２００において、電子装置１４は、第１の到着角（ＡｏＡ）で、第１のＴＲＰ４６から第１のダウンリンク信号５０を受信する。参照番号２０２において、電子装置１４は、第２のＡｏＡで、第２のＴＲＰ４８からの第２のダウンリンク信号５２を受信する。参照番号２０４において、電子装置１４は、第１のＴＲＰ４６からの第１の漏れ信号５４が、第２のＡｏＡで第２のダウンリンク信号５２に干渉していることを決定することによって、干渉状態を決定する。参照番号２０６において、電子装置１４は、干渉状態の決定に応答して一連のアップリンクパイロット信号６６、６８を送信する。電子装置１４は、一連のアップリンクパイロット信号６６、６８を送信して、第１のＴＲＰ４６が、第２のＡｏＡに関連付けられたダウンリンクＡｏＤを推定することを可能にする。
【００５１】
〔結論〕
一定の実施形態を示して説明してきたが、添付の特許請求の範囲内にある均等物及び変形例は、本明細書を読んで理解したときに、他の当業者が思い浮かべるであろうことが理解される。
【図１】
2022501957.tif 000003
【図２】
2022501957.tif 000004
【図３】
2022501957.tif 000005
【図４】
2022501957.tif 000006
【図５】
2022501957.tif 000007
【図６】
2022501957.tif 000008
【図７】
2022501957.tif 000009
【図８】
2022501957.tif 000010
【図９】
2022501957.tif 000011
【図１０】
2022501957.tif 000012
【国際調査報告】
2022501957.tif 000013
2022501957.tif 000014
2022501957.tif 000015